(57)【要約】      （修正有）【課題】ソレノイドコイルなどの電気的駆動部分を何ら具備せず、個々の使用者の好みに応じて自在にタッピング動作を加減できると共に、段階的な刺激を得られるようにした美顔器を提供する。【解決手段】グリップ部１０、当該グリップ部１０の上端部に突出させた可撓性を有する第１のひご３１、当該第１のひご３１の先端部に形成した一方の面が平坦で他方の面が曲面状となっている第１のタッピング体２１、グリップ部１０の上端部に第１のひご３１の下端部から少しの間隔をおいて突出させた可撓性を有する第２のひご３２、当該第２のひご３２の先端部に形成した一方の面が曲面である第２のタッピング体２２、当該２のタッピング体２２内に封入したおもり５とを具備しており、皮膚など対象部位に段階的な機械的刺激を与えることができるようになした。【選択図】図２
0003190380.tif 000002
【実用新案登録請求の範囲】
【請求項１】
グリップ部と、当該グリップ部の上端部に突出させた可撓性を有する第１のひごと、当該第１のひごの先端部に形成した一方の面が平坦で他方の面が曲面状となっている第１のタッピング体と、前記グリップ部の前記上端部に前記第１のひごの下端部から少しの間隔をおいて突出させた可撓性を有する第２のひごと、当該第２のひごの先端部に形成した一方の面が曲面である第２のタッピング体と、当該第２のタッピング体内に封入したおもりとを具備してなる美顔器であって、手の掌で前記グリップ部を金槌の柄のように握って前後に振ることにより前記第１のタッピング体と前記第２のタッピング体に往復運動を生じさせ、前記第１のタッピング体が皮膚に当ったのちに前記第２のタッピング体が前記第１のタッピング体に当たるように構成することによって、皮膚に段階的な機械的刺激を与えることができるようになしたことを特徴とする美顔器。
【考案の詳細な説明】
【技術分野】
【０００１】
本考案は顔などの皮膚表面に適度の連続した刺激を与えて美容上の効果をもたらすことができる美顔器に関する。
【背景技術】
【０００２】
従来、顔などの皮膚表面に外部から刺激を与えて整肌美容を施す主な手段として、冷却法、温熱法、赤外線照射法、低周波パルス電圧を印加する低周波美容法などが提案され、これまでに各刺激要素に応じた各種の美容器具類が開発されてきている。また、顔などの皮膚表面を手のひらや指などで叩くタッピング美容法も知られており、下記の特許文献１には、ソレノイドコイルの電磁作用を利用した美顔器具が開示されている。
【０００３】
特許文献１に開示された美顔器具は、図５に示すように、ソレノイドコイル６００の通電時にはアマチュアー７００に対して力が働き、戻しスプリング４００の力に打ち勝ってシャフト５００が前方へ押し出される。このときシャフト５００の先端に付設してあるパッド１００は本体８００の先端より突出して顔などの皮膚対象部位をタッピングする。
【０００４】
次に、ソレノイドコイル６００の通電が遮断されるとシャフト５００などには戻しスプリング４００による戻す力のみが働き、元の位置に復帰する。したがって、ソレノイドコイル６００に対する通電が断続的に行なわれれば、それによりパッド１００が本体８００から連続的に突出する運動となり、パッド１００で顔をタッピングして美容上の効果を生じさせることができる。
【先行技術文献】
【特許文献】
【０００５】
【特許文献１】特開平５−１１１５２０号公報
【考案の概要】
【考案が解決しようとする課題】
【０００６】
上記特許文献１に示された美顔器具においては、パッドによるタッピングはソレノイドコイルの電磁作用を利用するものであるため、刺激の調節が困難なことや電気的安全性の確保が必要であること、さらには電力を消費するので経済性に欠けるなどの問題点があった。
【０００７】
本考案は上記した従来器具の問題点を解消し、ソレノイドコイルなどの電気的駆動部分を何ら具備せず、個々の使用者の好みに応じて自在にタッピング動作を加減することができると共に、段階的な刺激を得られるようにした美顔器を提供することを目的とするものである。
【０００８】
上記課題を解決するための本考案の構成を詳述すれば、請求項１に係る考案は、グリップ部と、当該グリップ部の上端部に突出させた可撓性を有する第１のひごと、当該第１のひごの先端部に形成した一方の面が平坦で他方の面が曲面状となっている第１のタッピング体と、前記グリップ部の前記上端部に前記第１のひごの下端部から少しの間隔をおいて突出させた可撓性を有する第２のひごと、当該第２のひごの先端部に形成した一方の面が曲面である第２のタッピング体と、当該第２のタッピング体内に封入したおもりとを具備してなる美顔器であって、手の掌で前記グリップ部を金槌の柄のように握って前後に振ることにより前記第１のタッピング体と前記第２のタッピング体に往復運動を生じさせ、前記第１のタッピング体が皮膚に当ったのちに前記第２のタッピング体が前記第１のタッピング体に当たるように構成することによって、皮膚に段階的な機械的刺激を与えることができるようになしたことを特徴とする美顔器である。
【考案の効果】
【０００９】
上記したように、本考案に係る美顔器によれば、手の簡易な動きによって、初めに第１のタッピング体が軽く顔の皮膚に当たり、そののちに軽く当たった第１のタッピング体を第２のタッピング体が強く叩く構造となっているので、皮膚の痛覚神経を刺激せず、すなわち痛みを出さないで効果的に対象部位に刺激を加えることができ、しかも電気を使用しないので安全性が高く、且つまた経済的な美顔器を提供することができる。
【図面の簡単な説明】
【００１０】
【図１】本考案に係る美顔器の第１の実施形態を示す外観図である。
【図２】図１に示す美顔器の内部構造の一例を示す断面図である。
【図３】本考案に係る美顔器の使用方法を説明するためのもので、（ａ）はグリップ部を握ってタッピング体に往復動作を生じさせるときの説明図であり、（ｂ）および（ｃ）は美顔器における第１のタッピング体と第２のタッピング体の動作を示す説明図である。
【図４】本考案に係る美顔器の第２の実施形態を示す外観図である。
【図５】従来例の美顔器の構造を示す断面図である。
【考案を実施するための形態】
【００１１】
本考案に係る美顔器は、従来の美顔器などを手動化し、金槌の柄のようにグリップ部を握ってこれを前後に振ることで段階的な機械的刺激によるタッピングを顔などの対象部位に与え、美顔効果や顔周辺部の凝りの解消などを図るようにしたものである。
【実施例１】
【００１２】
以下、図１〜図３を用いて本考案に係る美顔器の第１の実施形態を詳述する。
［構成および動作］
【００１３】
図１において、美顔器１は、手のひらで握り易い外径および形状をもったグリップ部１０と、当該グリップ部１０の上端に突出させた第１のひご３１および第２のひご３２と、第１のひご３１の上端部と、第２のひご３２の上端部とにそれぞれ形成された第１のタッピング体２１と、第２のタッピング体２２と、前記第２のタッピング体２２内に封入したおもり５とから構成される。
【００１４】
なお、ひご３１および３２は、本来の竹ひご（籤）を用いることも可能であるが、耐久性、製作性の観点からは、ヒンジ特性をもった強靭なポリプロピレン樹脂等の高分子材料を用いて形成するものであり、実施例ではグリップ部１０、第１のひご３１、第２のひご３２および第１のタッピング体２１、第２のタッピング体２２は、ポリプロピレン樹脂などの高分子材料を用いて一体成形にて形成されている。
【００１５】
次に、図２を用いて美顔器１の内部の構造を説明する。
図２において、美顔器１における第１のタッピング体２１は、一方の面にトップカバー４を備えている。なお、当該トップカバー４が形成されたタッピング体２１の面は皮膚など対象部位に一定の面積で刺激を加えることができるように平坦状になっている。
【００１６】
また、第１のタッピング体２１は、リアカバー４１を他方の面に備えている。なお、この他方の面は第２のタッピング体２２と一点で当たるように曲面状に形成されている。第１のタッピング体２１におけるトップカバー４を備えた一方の面は対象部位の皮膚にタッピングを行う面であって、皮膚の対象部位への刺激を緩和することができる材料で形成されていることが望ましい。
【００１７】
また、第１のタッピング体２１が備えたリアカバー４１は、第２のタッピング体２２が第１のタッピング体２１に当たった際の衝撃を緩和する目的のためにも設けられている。第２のタッピング体２２の一方の面、すなわち第１のタッピング体２１に当たる面は、第１のタッピング体２１と一点で当たるように、曲面状に形成されている。
【００１８】
第２のタッピング体２２内に備えられたおもり５は、第２のタッピング体２２の動きを付勢するためのものであり、第２のタッピング体２２の内部に設けられた空洞に収納され、第２のタッピング体２２の他方の面に付設されるキャップ２２ｃで封じられるようになっている。おもり５は第２のタッピング体２２に生じさせる動きに応じて、比重の異なる鉄、アルミニューム、真鍮、など各種の材料を選択的に用いることができる。なお、実施例では真鍮を用いている。
【００１９】
［使用方法の説明］
次に、図３を用いて本考案に係る美顔器器１の使用方法を説明する。図３（ａ）は美顔器１を実際に手に握って前後に振っている状況を説明する説明図であり、図３（ｂ）と図３（ｃ）は美顔器１における第１のタッピング体２１および第２のタッピング体２２の動きを示す説明図である。
【００２０】
図３（ａ）に示すように、使用者は、美顔器１のグリップ部１０を金槌の柄のように手Ｒで握ってこれを前後に振り、顔Ｆの対象部位を、振り動作Ｍのようにタッピングし機械的刺激を加える。
【００２１】
使用者が美顔器１のグリップ部１０を握り、振り動作Ｍのように振ると図３（ｂ）に示すように、まず第１のタッピング体２１が対象部位に当たり、そののち短い時間のうちに図３（ｃ）に示すように撓んでいた第２のひご３２によって、第２のタッピング体２２が第１のタッピング体２１に当たる。従って、顔などの対象部位には段階的に適度な刺激が加えられる。
【実施例２】
【００２２】
次に、図４を用いて本考案に係る美顔器２の第２の実施形態について説明する。
図４（ａ）は第２の実施形態による美顔器２の外観図であり、図４（ｂ）は側面図である。図４に示すように、この実施形態においては、前記第１の実施形態における第１のひご３１と、第２のひご３２とをバネ弾性をもった金属板３３に置き換えた構造となっている。
【００２３】
すなわち、ステンレス板のようなバネ弾性を有する金属板３３を用い、金属板３３を音叉のようなＵ字型ないしＶ字型を形成するようにグリップ部１０の上端部に突出させ、それぞれの先端部に第１のタッピング体２１と第２のタッピング体２２を形成するようにしたものである。
【００２４】
また、図４（ｂ）に示すように、第２のタッピング体２２側の金属板３３にはスリット３３ｗを形成してあり、第２のタッピング体２２側の金属板３３がよりしなりやすい構造としてある。美顔器２のその他の構造および使用方法は前記第１の実施形態の場合と同一であるから重複する説明は省略する。
【００２５】
なお、この第２の実施形態においては、第１の実施形態で用いた「ひご」の語を用いずに金属板３３という語を用いているが、両者は機能的に同様の作用・効果を奏するものであり、この金属板３３が実用新案登録請求の範囲に云う「ひご」に含まれるのは云うまでもない。
【００２６】
以上述べたように、本考案による美顔器によれば、段階的な機械的刺激によるタッピングが可能であり、しかも手動であるから手の力で衝撃力の調整が可能である。さらに、電気を使用しないので安全かつ経済的であり廉価かつ安全な美顔器が実現できる。
【符号の説明】
【００２７】
１：美顔器
２：美顔器
２１：第１のタッピング体
２２：第２のタッピング体
２２ｃ：第２のタッピング体キャップ
３１：第１のひご
３２：第２のひご
３３：金属板
３３ｗ：スリット
４：トップカバー
４１：リアカバー
５：おもり
１０：グリップ部
１００：パッド
４００：戻しスプリング
５００：シャフト
６００：ソレノイドコイル
７００：アマチュアー
８００：本体
Ｒ：手
Ｆ：顔
Ｍ：振り動作
【図１】
0003190380.tif 000003
【図２】
0003190380.tif 000004
【図３】
0003190380.tif 000005
【図４】
0003190380.tif 000006
【図５】
0003190380.tif 000007